Podtech/llm-jp-corpus-v4-ja_patent huggingface dataset:
(57)【要約】【課題】従来の食器では、効果的に調味料を添付することが出来ないことがあり、調味料の使用量が増えることがある。また、食材から出る水分や不必要な汁や液体などから及ぼされる悪影響がおこることがある。【解決手段】食器の底部や食品等が接する部分に傾斜をもたせることにより、調味料を無駄なく効果的に添付することが可能となり、また、食材から出る水分や不必要な汁や液体などから及ぼされる悪影響を効果的に除去することが出来る。【選択図】なし【特許請求の範囲】
【請求項１】
食器底辺の形状を変化させることにより食器の食品等が接する部分に傾斜をもたせ、調味料等を効果的に添付する食器である。
【請求項２】
食器底辺の形状を変化させることにより食器の食品等が接する部分に傾斜をもたせ、食材から出る水分や不必要な汁や液体などから及ぼされる悪影響を効果的に除去することが出来る食器である。
【請求項３】
食器の食品等が接する部分の形状を変化させることにより食品等に調味料等を効果的に添付する食器である。
【請求項４】
食器の食品等が接する部分の形状を変化させることにより、食材から出る水分や不必要な汁や液体などから及ぼされる悪影響を効果的に除去することが出来る食器である。
【発明の詳細な説明】
【技術分野】
【０００１】
本発明は、調味料を容易に効果的に食材等に添付し、また、食材から出る水分や不必要な汁や液体などから及ぼされる悪影響を効果的に軽減させる食器に関するものである。
【発明の概要】
【発明が解決しようとする課題】
【０００２】
従来技術では、効果的に調味料を添付することが出来ず、また、食材から出る水分や不必要な汁や液体などが全体的に底辺に残り、食器に接する付近の食材に悪影響をおよぼすことがある。
【課題を解決するための手段】
【０００３】
食器に傾斜をもたせることにより可能となる。
(57)【要約】【課題】小規模の園芸を行っているものにとって、従来のフィルムマルチの設置は手間がかかり困難であった。本発明は、小規模園芸を行っているものに設置が簡単なマルチ資材を提供する。【解決手段】植物栽培土壌表面に直接、高分子樹脂を液化ガスに溶解させたものをエアゾールによりムース状に噴出させ、固形化した気泡を含む皮膜により形成されることを特徴とするスプレー噴出式発泡マルチシート【選択図】図２
2015146746.tif 000002
【特許請求の範囲】
【請求項１】
植物栽培土壌表面に直接、高分子樹脂を液化ガスに溶解させたものをエアゾールによりムース状に噴出させ、固形化した気泡を含む皮膜により形成されることを特徴とするスプレー噴出式発泡マルチシート
【発明の詳細な説明】
【技術分野】
【０００１】
本発明は、園芸用の土壌被覆資材であるスプレー噴出式発泡マルチシートに関するものである。
【背景技術】
【０００２】
マルチとは、畑でワラや刈った草、ポリエチレンなどのフィルムで土壌表面を覆い、作物の根の保護や土壌水分の保持、地温上昇効果や地温上昇抑制効果、雑草抑制効果、害虫の飛来防止を目的とする農業資材である。現在、ポリエチレンなどのフィルムマルチが多く用いられ、使用する際にはマルチで土壌を覆い、その端の部分に土壌を被せたりして固定し、そのマルチに既に空けられた穴や、新たに開けた穴に、播種したり、苗を植えつけたりして利用する。
【先行技術文献】
【特許文献】
【０００３】
【特許文献１】特許公開2003−54664
【特許文献２】特許公開2002−153145
【特許文献３】特許公開平6-145562
【特許文献４】特許公開2004-73169
【特許文献５】特許公開2005-253453
【発明の概要】
【発明が解決しようとする課題】
【０００４】
従来のマルチシートには以下のような欠点があった。
（イ)フィルムマルチを使用する際、土壌を被覆し設置、更に植え穴を開けるなどの作業は手間がかかり難しい。特に小規模の面積での設置、植物へ個別に設置、既に植栽されている植物の周辺土壌への設置が困難であり、小規模の園芸、プランター栽培などには適さなかった。
(ロ）特許文献2のマルチシート形成材スプレーは土壌に直接、被覆資材を吹き付ける方法であるが、液体が霧状に噴出されるため、プランターなどの小さな容器で植物栽培を行っている際には思うような位置に噴射できず、被覆度にむらができてしまう、風の強い日に使用しにくい、また、既に植えてある植物にかかってしまう可能性があった。
本発明は、以上の問題点を解決するためになされたものである。
【課題を解決するための手段】
【０００５】
高分子樹脂を液化ガスに溶解させたものをエアゾールスプレーでムース状に噴出させ、土壌の表面を覆う。噴出された溶剤は土壌表面でそのまま気泡を含んだ状態ですばやく固形化しフィルムマルチの代替品となる。
【発明の効果】
【０００６】
従来、フィルムマルチの端を土に埋め込んだり、別の方法で設置したりと手間のかかっていたマルチ設置がムース状マルチ資材をエアゾールで噴出して土壌を表面を被覆するという方法で簡単にできる。特に、小面積への設置、既に植物が植栽された土壌への設置などが容易になる。また、マルチは1度フィルムが破れたりすると修復することが困難だったが、この場合は、補修が容易である。
更に、ムース状にマルチ資材が出てくるため、エアゾールの噴出場所をコントロールしやすく、戸外での風などにも対処しやすく、噴出ムラも起こりにくい。
加えて、気泡を含んだまま固形化したマルチは空気層の断熱効果により、従来のマルチより地温の温度変化抑制能が上がる。
【図面の簡単な説明】
【０００７】
【図１】スプレーの断面図
【図２】本発明の使用状態を示す図
【発明を実施するための形態】
【０００８】
本発明に使用する発泡マルチ資材成分は市販のひもスプレーなどの内容物などの高分子樹脂を使用する。高分子樹脂は、アクリル系樹脂、ポリ酢酸ビニル系樹脂、スチレン系樹脂、ケトン系樹脂、アルデヒド系樹脂などを含むが特に限定されるものではない。エアゾール缶に充填された発泡マルチ資材は、高分子樹脂をエアゾール噴射剤である液化ガスに樹脂を溶解させ、噴射後、速やかに発泡、固形化し、土壌表面に気泡を含んだ皮膜を形成するものである。
【０００９】
植物栽培土壌に植物の植え穴の部分以外を覆うように発泡マルチを直接噴出する。発泡マルチは気泡を含んだまま固形化し、土壌の表面に厚みのある発泡状の皮膜を形成する。その皮膜は、土壌の水分を保持したり、断熱効果により土壌の急激な温度変化を抑制したり、遮光効果により雑草の発生を抑制したりすることに効果がある。ムース状のマルチ資材を土壌に噴出するため、スプレーは倒立型がよい。土壌の広範囲を皮膜で覆うことを目的としているため、マルチ資材はやや幅広く帯状に噴出されることが望ましい。マルチ資材は幅15-25ｍｍに噴出され、固定化されたときに厚さ5-10ｍｍとなるのが好ましいが、特に限定されるものではない。
【００１０】
マイクロカプセルなどにより害虫忌避効果のある匂い物質、病害虫防除のための薬剤等を混入したり、マルチの色を顔料等を入れ、害虫の嫌う反射光を発するシルバーにしたり、土壌の表面温度を上げる黒にしたりすることで付加価値の添加も可能である。
【符号の説明】
【００１１】
1  エアゾール缶、2  噴射剤、3  バルブ、4  アクチュエーター、5  土壌、  6  エアゾール缶、7  噴出したムース状マルチ資材、8  気泡を含んだまま固形化したマルチ皮膜  
【図１】
2015146746.tif 000003
【図２】
2015146746.tif 000004